(57)【特許請求の範囲】
【請求項１】
撮像素子上に被写体像を結像し撮影操作に応じて画像データを生成する撮影装置において、
前記被写体像から顔を検出する顔検出部と、
撮影領域の平均的な輝度を測光するとともに、前記顔検出部で顔が検出された場合に該顔検出部で検出された人数分の顔を個別に測光する測光部と、
撮影領域の平均的な輝度を測光して得られた測光値から該撮影領域の平均的な適正露出値を算出するとともに、前記顔検出部で検出されて前記測光部で測光された各人の顔の測光値から該各人の顔の適正な各露出値を算出する算出部と、
１回の撮影指示に応じて、前記算出部で算出された撮影領域の平均的な適正露出値に基づいて撮影するとともに、さらに、前記算出部で算出された人数分の顔の適正な各露出値に基づいて各顔が適正露出になるように人数分の撮影を行う撮影部と、
前記算出部で算出された撮影領域の平均的な適正露出値に基づいて撮影し生成した画像データに存在する人数分の各顔の画像データを前記撮影部で撮影し生成した同一人物の顔の画像データに置換する置換部とを備えたことを特徴とする撮影装置。
【請求項２】
撮像素子上に被写体像を結像し撮影操作に応じて画像データを生成する撮影方法において、
前記被写体像から顔を検出する顔検出ステップと、
撮影領域の平均的な輝度を測光するとともに、前記顔検出ステップで顔が検出された場合に該顔検出ステップで検出された人数分の顔を個別に測光する測光ステップと、
撮影領域の平均的な輝度を測光して得られた測光値から該撮影領域の平均的な適正露出値を算出するとともに、前記顔検出ステップで検出されて前記測光ステップで測光された各人の顔の測光値から該各人の顔の適正な各露出値を算出する算出ステップと、
１回の撮影指示に応じて、前記算出ステップで算出された撮影領域の平均的な適正露出値に基づいて撮影するとともに、さらに、前記算出ステップで算出された人数分の顔の適正な各露出値に基づいて各顔が適正露出になるように人数分の撮影を行う撮影ステップと、
前記算出ステップで算出された撮影領域の平均的な適正露出値に基づいて撮影し生成した画像データに存在する人数分の各顔の画像データを前記撮影ステップで撮影し生成した同一人物の顔の画像データに置換する置換ステップとを有することを特徴とする撮影方法。
【発明の詳細な説明】
【技術分野】
【０００１】
本発明は、撮像素子上に被写体像を結像し撮影操作に応じて画像データを生成する撮影装置および撮影方法に関する。
【背景技術】
【０００２】
従来、撮影装置の１つであるデジタルカメラには、露出を決定する技術として露出制御機構が備えられている。この露出制御機構としては、主に、平均測光方式、多分割測光方式、中央重点測光方式、およびスポット測光方式等が使用されており、デジタルカメラに搭載される露出制御機構は、機種によって異なっている。
【０００３】
平均測光方式とは、撮影領域の平均的な輝度を一度に測光し、その測光結果から露出を決定する方式である。また、多分割測光方式とは、撮影領域を複数の測光エリアに分割して測光し、その測光結果から露出を決定する方式である。また、中央重点測光方式とは、撮影領域中央部の３０〜４０％の範囲を重点的に測光し、その測光結果から露出を決定する方式である。また、スポット測光方式とは、撮影領域中央部の数％を測光し、その測光結果から露出を決定する方式である。
【０００４】
ところで、上記の測光方式では、人物を含んだ被写体像を撮影するときには、人物の顔が必ずしも適正な露出値になるとは限らず、不適正な露出値になる場合がある。
【０００５】
そこで、人物の顔を適正な露出値にして撮影する技術として、人間の顔を検出し、その顔と画面全体の撮影領域とを分けて測光し、それらの測光結果から、顔の部分に重点を置いて露出値を算出し、その顔が適正露出になるように撮影する技術が提案されている（例えば、特許文献１参照。）。
【０００６】
また、複数の顔を検出した場合、特定の１つの顔を測光し、その顔の測光結果に基づきその顔が適正露出になるように撮影する技術が提案されている（例えば、特許文献２参照。）。
【特許文献１】特開２００３−１０７５５号公報
【特許文献２】特開２００５−８６６８２号公報
【発明の開示】
【発明が解決しようとする課題】
【０００７】
この特許文献１に開示された技術によれば、撮影領域内に１人の人物が存在するときの撮影では、その検出した顔が適正な露出値になるように撮影することができる。
【０００８】
しかし、複数の顔が検出され、各顔の輝度が異なるときには、複数の顔の部分に重点を置いて露出値を算出することができず、各顔が不適正な露出値で撮影されるという問題が生じる。
【０００９】
また、特許文献２に開示された技術によれば、複数の顔が検出された場合に、それらの中から特定の顔を決定しその特定の顔に露出を合わせるため、特定の顔については適正な露出値で撮影されるが、残りの顔については不適正な露出値で撮影されるという問題が生じる。
【００１０】
本発明は、上記事情に鑑み、撮影領域内に顔を検出した場合であっても、人数分の顔の適正な各露出値に基づいて各顔が適正露出になるように撮影する工夫が施された撮影装置および撮影方法を提供することを目的とする。
【課題を解決するための手段】
【００１１】
上記目的を達成する本発明の撮影装置のうちの第１の撮影装置は、撮像素子上に被写体像を結像し撮影操作に応じて画像データを生成する撮影装置において、
上記被写体像から顔を検出する顔検出部と、
上記顔検出部で顔が検出された場合にその顔検出部で検出された人数分の顔を個別に測光する顔測光部と、
上記顔測光部で測光された各人の顔の測光値からその各人の顔の適正な各露出値を算出する算出部と、
１回の撮影指示に応じて、上記算出部で算出された人数分の顔の適正な各露出値に基づいて各顔が適正露出になるように人数分の撮影を行う撮影部とを備えたことを特徴とする。
【００１２】
本発明の第１の撮影装置では、各顔ごとに適正露出になるように人数分の撮影を行うことにより、各顔ごとに適正露出で撮影された画像データが得られるので、例えば、使用者が、複数の人物を対象として記念写真を撮影した後に、各顔ごとに適正露出で撮影された画像データをプリントして個別に配ることなどができる。
【００１３】
上記目的を達成する本発明の撮影装置のうちの第２の撮影装置は、撮像素子上に被写体像を結像し撮影操作に応じて画像データを生成する撮影装置において、
上記被写体像から顔を検出する顔検出部と、
撮影領域の平均的な輝度を測光するとともに、上記顔検出部で顔が検出された場合に該顔検出部で検出された人数分の顔を個別に測光する測光部と、
撮影領域の平均的な輝度を測光して得られた測光値からその撮影領域の平均的な適正露出値を算出するとともに、上記顔検出部で検出されて上記測光部で測光された各人の顔の測光値からその各人の顔の適正な各露出値を算出する算出部と、
１回の撮影指示に応じて、上記算出部で算出された撮影領域の平均的な適正露出値に基づいて撮影するとともに、さらに、上記算出部で算出された人数分の顔の適正な各露出値に基づいて各顔が適正露出になるように人数分の撮影を行う撮影部と、
上記算出部で算出された撮影領域の平均的な適正露出値に基づいて撮影し生成した画像データに存在する人数分の各顔の画像データを上記撮影部で撮影し生成した同一人物の顔の画像データに置換する置換部とを備えたことを特徴とする。
【００１４】
本発明の第２の撮影装置では、撮影領域の平均的な適正露出値に基づいて生成した画像データ内に顔の画像データが存在した場合、人数分の顔が適正な露出値で撮影された画像データに置換されるので、１枚の画像データの中に、適正な露出で撮影された人数分の顔の画像データが存在することになり、使用者は、撮影領域の測光結果と顔部分の測光結果が反映された１枚の画像データを得ることができる。
【発明の効果】
【００１５】
以上、説明したように、撮影領域内に顔を検出した場合であっても、人数分の顔の適正な各露出値に基づいて各顔が適正露出になるように撮影する工夫が施された撮影装置および撮影方法を提供することができる。
【発明を実施するための最良の形態】
【００１６】
以下図面を参照して、本発明の実施形態を説明する。
【００１７】
図１は、本発明の第１の撮影装置の一実施形態であるデジタルカメラを示す外観斜視図である。
【００１８】
また、図２は、図１に示すデジタルカメラを背面から見た背面図である。
【００１９】
図１に示されるように、デジタルカメラ１の前面１１には、デジタルカメラ内部に配設されたレンズ群に被写体光を導くための対物レンズ１２、および被写体に向けて閃光を発光するための閃光発光窓１３が備えられ、デジタルカメラ１の上面１４には、レリーズボタン１５が備えられている。レリーズボタン１５の押下により静止画撮影が行われる。
【００２０】
このデジタルカメラ１の側面１６には、記録メディア装着口１７が設けられている。この記録メディア装着口１７から、画像データを記録する記録メディア１８が着脱自在に装着される。
【００２１】
また、図２に示されるように、このデジタルカメラ１の背面２１には、電源ボタン２２、モードスイッチ２３が設けられている。この電源ボタン２２は、デジタルカメラ１の電源をＯＮ／ＯＦＦするものであり、このモードスイッチ２３は、撮影モードと再生モードとを切り換えるスイッチである。
【００２２】
また、このデジタルカメラ１の背面２１には、メニュー切替えおよび実行キー２４が備えられている。このメニュー切替えおよび実行キー２４は、撮影に使用されるメニューを自在に切り替えて設定条件を選択して実行するキーである。
【００２３】
さらに、このデジタルカメラ１の背面２１には、広角ズームキー２５、望遠ズームキー２６、および液晶表示パネル２７が備えられている。広角ズームキー２５は、焦点距離を広角側に変更するためのキーであり、望遠ズームキー２６は、焦点距離を望遠側に変更するためのキーである。液晶表示パネル２７は、被写体の画像、メニュー切替えおよび実行キー２４のメニュー等を液晶表示するものである。
【００２４】
次に、デジタルカメラ１の内部構成を説明する。
【００２５】
図３は、図１、図２に示すデジタルカメラの内部構成を示す図である。
【００２６】
このデジタルカメラ１には、撮影レンズ３０１、アイリス３０２、およびＣＣＤ３０３が備えられている。なお、撮影レンズは、説明上、１枚のレンズとして模式的に描かれている。
【００２７】
このアイリス３０２は、被写体光を絞ったり、遮光したりするものである。
【００２８】
このＣＣＤ３０３は、レンズ３０１を経由してきた被写体光を捉える固体撮像素子である。
【００２９】
このデジタルカメラ１には、レンズ用モータドライバ４０１、レンズモータ４０１＿２、アイリス用モータドライバ４０２、アイリスモータ４０２＿２、およびタイミングジェネレータ４０３が備えられている。
【００３０】
このレンズ用モータドライバ４０１は、レンズモータ４０１＿２を介してレンズ３０１を駆動させるものである。アイリス用モータドライバ４０２は、アイリスモータ４０２＿２を介してアイリス３０２の開閉を行うものである。このタイミングジェネレータ４０３は、ＣＣＤ３０３に露光開始および露光終了を告げるものでありいわゆるシャッタスピードに相当する。
【００３１】
このデジタルカメラ１には、ＣＰＵ４０が備えられている。このＣＰＵ４０には、ＥＥＰＲＯＭ４０４が内蔵されている。このＥＥＰＲＯＭ４０４は書き換え可能な不揮発性メモリで構成されている。また、このＣＰＵ４０にはＲＯＭ４０５が内蔵されており、このＲＯＭ４０５内にはプログラムが格納されている。このプログラムの手順にしたがってデジタルカメラ１の動作がＣＰＵ４０により制御される。
【００３２】
このデジタルカメラ１には、ＣＤＳＡＭＰ３０４、およびＡ／Ｄ変換部３０５が備えられている。ＣＤＳＡＭＰ３０４は、ＣＣＤ３０３から出力されたアナログ画像信号の雑音を低減する処理等を行ない、Ａ／Ｄ変換部３０５は、このアナログ画像信号をデジタル画像信号に変換する。
【００３３】
また、このデジタルカメラ１には、画像入力コントローラ３０６、および画像信号処理部３０７が備えられている。画像入力コントローラ３０６は、Ａ／Ｄ変換部３０５でデジタル画像信号に変換された画像データをデータバス４０６を介してＳＤＲＡＭ４０７に転送する。このＳＤＲＡＭ４０７は、画像データが一時的に記憶されるメモリである。画像信号処理部３０７は、ＳＤＲＡＭ４０７に記憶された画像データの画像処理を実行する。
【００３４】
また、このデジタルカメラ１には、ＡＦ検出部３０８、およびＡＥ＆ＡＷＢ検出部３０９が備えられている。ＡＦ検出部３０８は画像のピント情報を検出し、ＡＥ＆ＡＷＢ検出部３０９は絞り値とシャッタスピードを決定し、白色バランス情報を検出する。
【００３５】
また、このデジタルカメラ１には、顔検出部５０１、顔測光部５０２、および算出部５０３が備えられている。この顔検出部５０１は、被写体像から顔を検出するものであり、顔測光部５０２は、顔検出部５０１で顔が検出された場合にその顔検出部５０１で検出された人数分の顔を個別に測光するものである。算出部５０３は、顔測光部５０２で測光された各人の顔の測光値からその各人の顔の適正な各露出値を算出するものである。顔検出部５０１、顔測光部５０２、および算出部５０３については、後で詳述する。
【００３６】
また、このデジタルカメラ１には、ＹＣ変換処理部３１０、圧縮伸長処理部３１１、ＶＲＡＭ３１２が備えられている。ＹＣ変換処理部３１０は、データバス４０６を介して入力されたデジタルの画像信号を輝度（Ｙ）と色（Ｃ）とで表されるＹＣ信号に変換するものである。圧縮伸長処理部３１１は、ＣＰＵ４０の指示によりＹＣ信号に変換された画像データを圧縮処理するものである。ＶＲＡＭ３１２は、液晶表示パネル２７に表示される内容を保持しているメモリであり、Ａ領域、Ｂ領域の２つのバッファ領域を有している。
【００３７】
また、このデジタルカメラ１には、Ｖｉｄｅｏ／ＬＣＤエンコーダ３１３、メディアコントローラ３１４、および閃光発光制御部３１５が備えられている。Ｖｉｄｅｏ／ＬＣＤエンコーダ３１３は、画像データをビデオ信号に変換するものである。ここで、ＶＲＡＭ３１２に記憶された低解像度なスルー画像データは、古い時刻に記憶されたスルー画像データから先に、Ｖｉｄｅｏ／ＬＣＤエンコーダ３１３をを介して液晶表示パネル２７に伝えられ、液晶表示パネル２７上に、スルー画像が表示される。メディアコントローラ３１４は、画像データを記録メディア１８に記憶するための制御を行なう。閃光発光制御部３１５は、閃光発光窓１３を通して、閃光発光をするものである。
【００３８】
このデジタルカメラ１には、操作部２０、および電源部２２＿１が備えられている。この操作部２０は、図２に既に説明したデジタルカメラ１の背面２１および上面１４に備えられている各操作子の操作を受け付けてＣＰＵ４０に各操作子の処理の命令を出すものである。この電源部２２＿１は、電源投入操作を受けて各ブロックへ給電するものである。
【００３９】
このデジタルカメラ１には、撮影部５０４が備えられている。この撮影部５０４は、上述した、このデジタルカメラ１の内部構成の中で、顔検出部５０１、顔測光部５０２、算出部５０３、操作部２０、および電源部２２＿１を除く部分に相当する。そして、この撮影部５０４は、顔検出部５０１で顔が検出されたときには、通常の平均測光による撮影に代えて、算出部５０３で算出された人数分の顔の適正な各露出値に基づいて各顔が適正露出になるように人数分の撮影を行う処理を実行するものである。
【００４０】
次に、本発明の第１の装置の一実施形態であるデジタルカメラ１の撮影動作について説明する。
【００４１】
このデジタルカメラ１の撮影動作はＣＰＵ４０により制御される。
【００４２】
先ず、使用者が電源ボタン２２を押して電源投入操作をすることで、操作部２０が電源投入操作を受け付けて、ＣＰＵ４０では、ＲＯＭ４０５のプログラムの実行が開始され、液晶表示パネル２７に画像が表示されるとともに、撮影条件の設定操作やレリーズボタン１５の操作を受け付ける状態となる。メニュー切替および実行キー２４で、撮影モードを選択することにより、図４に示す内容の画面が液晶表示パネル２７に表示される。
【００４３】
図４は、顔検出を行って撮影するか否かを選択するメニュー画面を示す図である。
【００４４】
図４に表示されているブラケットモードとは、撮影領域の平均的な適正露出値に基づいて撮影するモードである。一方、顔ブラケットモードとは、顔検出を行って撮影するモードである。
【００４５】
使用者が、メニュー切替および実行キー２４を用いて、顔ブラケットモードを選択して実行の操作することにより、本実施形態のデジタルカメラ１では、各顔が適正露出になるように撮影が可能となる。詳細については後で説明する。
【００４６】
また、使用者が、デジタルカメラ１の背面２１に設けられた広角ズームキー２５もしくは望遠ズームキー２６を使って撮影画角を指示すると、その指示された撮影画角がＣＰＵ４０に伝えられ、ＣＰＵ４０は、レンズモータ４０１＿２を制御することで、撮影画角に応じた位置にレンズ３０１を移動させる。
【００４７】
また、この液晶表示パネル２７上に表示されているスルー画像に基づいて使用者によって撮影が行なわれるため、このデジタルカメラ１を向けた方向の被写体がすぐにスルー画像として表示されるように、ＡＦ検出部３０８は常に合焦点位置を検出して、ＣＰＵ４０は、レンズ３０１を合焦点位置に移動させている。
【００４８】
ここで、使用者が、レリーズボタン１５を半押しすることにより、図５に示す撮影処理が開始される。
【００４９】
図５は、本発明の第１の撮影装置の一実施形態であるデジタルカメラの撮影処理を示すフローチャートである。
【００５０】
まず、ＣＰＵ４０は、顔ブラケットモードが選択されているか否かの判定を行う（ステップＳ１００）。
【００５１】
顔ブラケットモードが選択されていると判定されたときには、ＣＰＵ４０は、顔検出部５０１に被写体像から顔を検出する処理を実行させる（ステップＳ１０２）。
【００５２】
図６は、顔検出部における処理の概念図である。
【００５３】
顔検出部５０１は、液晶表示パネル２７に表示されているスルー画の画像データを入力データとして用いる。そして、顔検出部５０１は、スルー画の画像データから肌色の色成分抽出を行うことにより、被写体像の顔の部分を検出する。そして、顔検出部５０１は、出力データとして、人数分に応じて、撮影領域内の顔の位置を特定するための座標データ、および顔の存在するエリア（水平幅、垂直幅）を求める。
【００５４】
再び、図５に戻り、説明を続ける。
【００５５】
次に、顔検出がなされたか否かの判定がなされる（ステップＳ１０４）。
【００５６】
顔検出がなされたと判定されたときは、ステップＳ１０６に進み、顔測光部５０２が、顔検出部５０１で検出された人数分の顔を個別に測光する。
【００５７】
図７は、顔測光部が測光するエリアを示す概念図である。
【００５８】
図７（ａ）では、顔検出部５０１により２人の人間Ａ、Ｂの顔が検出されており、四角の囲みからなる顔検出エリア５０１＿１、５０１＿２が液晶表示パネル２７に表示されている。
【００５９】
顔測光部５０１は、各顔の顔検出エリア５０１＿１、５０１＿２を個別に測光して、各顔の測光値をＳＤＲＡＭ４０７に記憶する（ステップＳ１０８）。
【００６０】
続いて、算出部５０３が、顔測光部５０２で測光された各人の顔の測光値からその各人の顔の適正な各露出値を算出する（ステップＳ１１０）。
【００６１】
次に、算出部５０３で算出された一人分の顔の適正な露出値が設定され、ＡＥ＆ＡＷＢ検出部３０９により絞り値やシャッタスピードが決定される（ステップＳ１１２）。
【００６２】
そして、使用者によりレリーズボタン１５が全押しされることにより、撮影領域内に存在する人数のうちの一人について、顔の適正な露出値に基づいて撮影がなされる（ステップＳ１１４）。
【００６３】
具体的には、操作部２０がＣＰＵ４０に撮影開始の信号を送る。この撮影開始の信号を受けて、アイリス３０２がアイリス用モータドライバ４０２によって開けられると共にタイミングジェネレータ４０３が作動されることによりＣＣＤ３０３が露光される。続いて、ＣＣＤ３０３に結像されている被写体を表わす画像データがＣＤＳＡＭＰ３０４に出力される。ＣＤＳＡＭＰ３０４では、ＣＣＤ３０３から出力された画像データの雑音の低減が行なわれその雑音が低減された画像データがＡ／Ｄ変換部３０５に供給される。このＡ／Ｄ変換部３０５では、アナログ信号からデジタル信号に変換されたＲＧＢからなる画像データが生成される。生成された画像データは、画像信号処理部３０７で画像処理が施されて、ＳＤＲＡＭ４０７に記憶される。ＳＤＲＡＭ４０７に記憶された画像データは、ＹＣ変換処理部３１０に供給されて、ＲＧＢ信号からＹＣ信号に変換される。
【００６４】
続いて、圧縮処理が施された画像データは、ＶＲＡＭ３１２に保存される。続いて、ＶＲＡＭ３１２に保存された画像データは、Ｖｉｄｅｏ／ＬＣＤエンコーダ３１３でビデオ信号に変換され液晶表示パネル２７に導かれるとともに、記録メディア１８に画像データが保存される。
【００６５】
一人分の撮影が終了すると、人数分の撮影がなされた否かの判定が実行される（ステップＳ１１６）。人数分の撮影がなされていないとの判定がなされたときには、ステップＳ１１２に戻り、人数分の撮影がなされたとの判定がなされたときには、この処理ルーチンは終了する。
【００６６】
一方、ステップＳ１００で顔ブラケットモードが選択されなかった場合やステップＳ１０４で顔検出部５０１が顔を検出せずとの判定がなされた場合には、ステップＳ１２０に進み、顔測光部５０２は、測光エリアを画面全体に切り換えて、画面全体を撮影領域として平均的な輝度を測光する。図７（ｂ）では、四角の囲みからなる測光エリア５０１＿３が液晶表示パネル２７に表示されている。
【００６７】
測光により得られた測光値は、ＳＤＲＡＭ４０７に記憶される（ステップＳ１２２）。
【００６８】
続いて、算出部５０３が、ステップＳ１２２でＳＤＲＡＭ４０７に記憶された測光値から、測光エリア５０１＿３の撮影領域の平均的な適正露出を算出する（ステップＳ１２４）。
【００６９】
次に、算出部５０３で算出された平均的な適正露出値が設定され、ＡＥ＆ＡＷＢ検出部３０９により絞り値やシャッタスピードが決定される（ステップＳ１２６）。
【００７０】
そして、使用者によりレリーズボタン１５が全押しされることにより、撮影領域の平均的な適正露出値に基づいて撮影がなされ（ステップＳ１２８）、上述した撮影部５０４の処理にしたがって、画像データは、記録メディア１８に保存される。そして、この処理ルーチンは終了する。
【００７１】
本発明の第１の撮影装置の一実施形態であるデジタルカメラ１によれば、各顔ごとに適正露出になるように人数分の撮影を行うことにより、各顔ごとに適正露出で撮影された画像データが得られるので、例えば、使用者が、複数の人物を対象として記念写真を撮影した後に、各顔ごとに適正露出で撮影された画像データをプリントして個別に配ることなどができる。
【００７２】
以上で、本発明の第１の撮影装置の一実施形態について説明を終了し、本発明の第２の撮影装置の一実施形態について説明する。
【００７３】
なお、本発明の第１の装置の一実施形態と第２の撮影装置の一実施形態とでは、内部構成が一部異なるが、それ以外は、ほぼ同様の構成を有するため、同じ要素については同じ符号を付して説明を省略し、相違点について説明する。
【００７４】
図８は、本発明の第２の撮影装置の一実施形態であるデジタルカメラの内部構成を示す図である。
【００７５】
このデジタルカメラ２には、顔測光部５０２の代わりに測光部５０５が備えられている。この測光部５０５は、撮影領域の平均的な輝度を測光するとともに、顔検出部５０１で顔が検出された場合にその顔検出部５０１で検出された人数分の顔を個別に測光するものである。
【００７６】
また、このデジタルカメラ２には、算出部５０３の代わりに算出部５０３＿２が備えられている。この算出部５０３＿２は、測光部５０５で得られた測光値から撮影領域の平均的な適正露出値を算出するとともに、顔検出部５０１で検出されて測光部５０５で測光された各人の顔の測光値からその各人の顔の適正な各露出値を算出するものである。
【００７７】
このデジタルカメラ２には、撮影部５０４＿２が備えられている。この撮影部５０４＿２は、上述した、このデジタルカメラ２の内部構成の中で、測光部５０５、顔検出部５０１、算出部５０３＿２、操作部２０、および電源部２２＿１を除く部分に相当する。そして、この撮影部５０４＿２は、１回の撮影指示に応じて、算出部５０３＿２で算出された撮影領域の平均的な適正露出値に基づいて撮影するとともに、さらに、算出部５０３＿２で算出された人数分の顔の適正な各露出値に基づいて各顔が適正露出になるように人数分の撮影を行うものである。
【００７８】
また、このデジタルカメラ２には、置換部５０６が備えられている。この置換部５０６は、算出部５０３＿２で算出された撮影領域の平均的な適正露出値に基づいて撮影し生成した画像データに存在する人数分の各顔の画像データを撮影部５０４＿２で撮影し生成した同一人物の顔の画像データに置換するものである。
【００７９】
図９は、置換部の処理を示す概念図である。
【００８０】
例えば、顔検出部５０１が、２人の人物の顔を検出した場合、撮影部５０４＿２は２人分の顔の適正な各露出値に基づいて各顔が適正露出になるように２人分の撮影画像を生成する（顔検出画像１、顔検出画像２）。また、撮影部５０４＿２は、撮影領域の平均的な適正露出値に基づいて撮影して撮影画面全体の画像（基準画像）を生成する。置換部５０６は、顔検出画像１、顔検出画像２、および基準画像を入力データとして、顔検出画像１、顔検出画像２から各顔の画像データを抽出する。そして、置換部５０６は、これらの各顔の画像データを基準画像データ内に存在する同一人物の顔の画像データに置換して置換画像を生成する。
【００８１】
次に、このデジタルカメラ２の撮影動作について説明する。
【００８２】
このデジタルカメラ２の撮影動作も統合的にＣＰＵ４０により制御される。
【００８３】
先ず、デジタルカメラ１と同様に、使用者が電源ボタン２２を押して電源投入操作をすることで、操作部２０が電源投入操作を受け付けて、ＣＰＵ４０では、ＲＯＭ４０５のプログラムの実行が開始され、液晶表示パネル２７に画像が表示されるとともに、撮影条件の設定操作やレリーズボタン１５の操作を受け付ける状態となる。メニュー切替および実行キー２４で、撮影モードを選択することにより、顔最適露出モードを選択することができる。
【００８４】
図１０は、顔最適露出モードによる撮影の概念図である。
【００８５】
顔最適露出モードが選択されたときには、撮影領域内に存在する各顔ごとに測光する。      
【００８６】
図１０（ａ）には、撮影画面内に２人の人物が存在するが、まず、人物Ａの顔が測光され、適正な露出値が算出され、その人物Ａの顔が適正な露出値で撮影される。その結果、顔検出画像１が生成する。次に、人物Ｂの顔が測光され、適正な露出値が算出され、その人物Ｂの顔が適正な露出値で撮影される（図１０（ｂ））。その結果、顔検出画像２が生成する。続いて、撮影画面全体が撮影領域として平均測光され、平均的な露出値が算出され、その撮影領域が平均的な露出値で撮影される（図１０（ｃ））。その結果、基準画像が生成する。
【００８７】
次に、上述した置換部５０６は、顔検出画像１および２の画像データに存在する顔の画像データを基準画像データ内に存在する同一人物の顔の画像データに置換して置換画像を生成する（図１０（ｄ））。
【００８８】
この顔最適露出モードを用いた撮影ついては、以下詳述する。
【００８９】
まず、使用者が、レリーズボタン１５を半押しすることにより、図１１に示す撮影処理が開始される。
【００９０】
図１１は、本発明の第２の撮影装置の一実施形態であるデジタルカメラの撮影処理を示すフローチャートである。
【００９１】
まず、ＣＰＵ４０は、顔最適露出モードが選択されているか否かの判定を行う（ステップＳ２００）。
【００９２】
顔最適露出モードが選択されていると判定されたときには、ＣＰＵ４０は、顔検出部５０１に被写体像から顔を検出する処理を実行させる（ステップＳ２０２）。
【００９３】
次に、顔検出がなされたか否かの判定がなされる（ステップＳ２０４）。
【００９４】
顔検出がなされたと判定されたときは、ステップＳ２０６に進み、測光部５０５が、顔検出部５０１で検出された人数分の顔を個別に測光するとともに、撮影領域の平均的な輝度を測光する。
【００９５】
続いて、算出部５０３＿２が、測光部５０５で測光された各人の顔の測光値からその各人の顔の適正な各露出値を算出するとともに、測光部５０５で得られた測光値から撮影領域の平均的な適正露出値を算出する（ステップＳ２０８）。
【００９６】
そして、図５で既に述べたように、一人分の顔の露出が設定され（ステップＳ２１０）、撮影が実行される（ステップＳ２１２）。
【００９７】
一人分の撮影が終了すると、人数分の撮影がなされた否かの判定が実行される（ステップＳ２１４）。人数分の撮影がなされたとの判定がなされたときには、ステップＳ２１６に進み、人数分の撮影がなされていないとの判定がなされたときには、ステップＳ２１０に戻る。
【００９８】
人数分の撮影が終了することにより、続いて、算出部５０３＿２で算出された撮影領域の露出値が設定される（ステップＳ２１６）。
【００９９】
次に、算出部５０３＿２で算出された撮影領域の平均的な適正露出値に基づいて撮影する（ステップＳ２１８）。
【０１００】
画面全体である撮影領域の画像データ（基準画像）が生成された後、その生成した画像データの中に存在する人数分の顔の画像データ（顔検出画像）が検出される（ステップＳ２２０）。
【０１０１】
次に、基準画像に存在する人数分の顔の画像データとステップＳ２１２で適正な露出値で撮影された同一人物の顔の画像データとを比較して、同一人物の顔の位置がお互い一致するか否かが各顔ごとに判定される（ステップＳ２２２）。
【０１０２】
すべての顔の位置が一致したときには、ステップＳ２２４に進み、顔の位置がずれているときには、ステップＳ２２６に進み、顔の位置がずれている人物については置換処理の候補から除外し、ステップＳ２２４に進む。
【０１０３】
置換部５０６では、上述した通り、顔検出画像の画像データを基準画像データ内に存在する同一人物の顔の画像データに置換して置換画像を生成し（ステップＳ２２４）、この基準画像は記録メディア１８に保存され、この処理ルーチンを終了する。
【０１０４】
一方、ステップＳ２００で顔露出最適モードが選択されなかった場合やステップＳ２０４で顔検出部５０１が顔を検出せずとの判定がなされた場合には、ステップＳ２３０に進み、測光部５０５が撮影画面全体を測光する。続いて、算出部５０３＿２により、測光部５０５で得られた測光値に基づいて、撮影領域の平均的な適正露出値を算出する（ステップＳ２３２）。次に、その露出値を設定し（ステップＳ２３４）、撮影を実行する（ステップＳ２３６）。そして、この処理ルーチンを終了する。
【０１０５】
以上より、第２の撮影装置の一実施形態であるデジタルカメラによれば、撮影領域の平均的な適正露出値に基づいて生成した画像データ内に顔の画像データが存在した場合、人数分の顔が適正な露出値で撮影された画像データに置換されるので、１枚の画像データの中に、適正な露出で撮影された人数分の顔の画像データが存在することになり、使用者は、撮影領域の測光結果と顔部分の測光結果が反映された１枚の画像データを得ることができる。
【０１０６】
以上、説明したように、本発明によれば、撮影領域内に顔を検出した場合であっても、人数分の顔の適正な各露出値に基づいて各顔が適正露出になるように撮影する工夫が施された撮影装置および撮影方法を提供することができる。
【図面の簡単な説明】
【０１０７】
【図１】本発明の第１の撮影装置の一実施形態であるデジタルカメラを示す外観斜視図である。
【図２】図１に示すデジタルカメラを背面から見た背面図である。
【図３】図１、図２に示すデジタルカメラの内部構成を示す図である。
【図４】顔検出を行って撮影するか否かを選択するメニュー画面を示す図である。
【図５】本発明の第１の撮影装置の一実施形態であるデジタルカメラの撮影処理を示すフローチャートである。
【図６】顔検出部における処理の概念図である。
【図７】顔測光部が測光するエリアを示す概念図である。
【図８】本発明の第２の装置の一実施形態であるデジタルカメラの内部構成を示す図である。
【図９】置換部の処理を示す概念図である。
【図１０】顔最適露出モードによる撮影の概念図である。
【図１１】本発明の第２の撮影装置の一実施形態であるデジタルカメラの撮影処理を示すフローチャートである。
【符号の説明】
【０１０８】
１    デジタルカメラ
１１  デジタルカメラ１の前面
１２  対物レンズ
１３  閃光発光窓
１４  デジタルカメラ１の上面
１５  レリーズボタン
１６  デジタルカメラ１の側面
１７  記録メディア装着口
１８  記録メディア
２０  操作部
２１  デジタルカメラ１の背面
２２  電源ボタン
２２＿１  電源
２３  モードスイッチ
２４  メニュー切替および実行キー
２５  広角ズームキー
２６  望遠ズームキー
２７  液晶表示パネル
４０  ＣＰＵ
３０１  撮影レンズ
３０２  アイリス
３０３  ＣＣＤ
３０４  ＣＤＳＡＭＰ
３０５  Ａ／Ｄ変換部
３０６  画像入力コントローラ
３０７  画像信号処理部
３０８  ＡＦ検出部
３０９  ＡＥ＆ＡＷＢ検出部
３１０  ＹＣ変換処理部
３１１  圧縮伸長処理部
３１２  ＶＲＡＭ
３１３  ＶＩＤＥＯ／ＬＣＤエンコーダ
３１４  メディアコントローラ
４０１  レンズ用モータドライバ
４０１＿２  レンズモータ
４０２  アイリス用モータドライバ
４０２＿２  アイリスモータ
４０３  タイミングジェネレータ
４０４  ＥＥＰＲＯＭ
４０５  ＲＯＭ
５０１  顔検出部
５０２  顔測光部
５０３、５０３＿２  算出部
５０４、５０４＿２  撮影部
５０５  測光部
５０６  置換部
【図１】
0004422667.tif 000002
【図２】
0004422667.tif 000003
【図３】
0004422667.tif 000004
【図４】
0004422667.tif 000005
【図５】
0004422667.tif 000006
【図６】
0004422667.tif 000007
【図７】
0004422667.tif 000008
【図８】
0004422667.tif 000009
【図９】
0004422667.tif 000010
【図１０】
0004422667.tif 000011
【図１１】
0004422667.tif 000012